(57)【特許請求の範囲】
【請求項１】
アップリンク伝送のためのＮ個の変調シンボルのグループをユーザ装置によって拡散率（ＳＦ）処理経路内で平行に処理するステップを含み、ここにおいてＮとＳＦは整数であり、ＳＦは拡散符号における要素数に等しく、該処理ステップが、
前記ユーザ装置により、前記ＳＦ処理経路の各々において、前記Ｎ個の変調シンボルに、前記拡散符号の一意の要素による乗算を行い、該ＳＦ処理経路の各々においてＮ個のシンボルを出力するステップと、
前記ユーザ装置により、前記ＳＦ処理経路の各々において前記出力されたＮ個の前記変調シンボルに対する巡回シフトを実行するステップであって、各々のＳＦ処理経路は、複数の異なる巡回シフトを有する、セル固有のシフトパターンからの特定のシフトを用いているステップと、
を含み、
前記ＳＦ及びＮが、１よりも大きな整数を特徴とし、ＮはＳＦよりも大きく、
前記セル固有のシフトパターンが、全部で少なくともＳＦ個の巡回シフトを含み、
前記拡散符号が、前記セル内の装置に固有のブロック拡散符号であり、
前記グループが、離散フーリエ変換の拡散直交周波数分割多元接続シンボル（ＤＦＴ−Ｓ−ＯＦＤＭＡ）内の時間領域変調シンボルを含み、
前記時間領域変調シンボルが、互いに巡回的にシフトされ、
前記巡回シフトが、高速フーリエ変換前に行われる、
ことを特徴とする方法。
【請求項２】
前記変調シンボルのグループが、物理ダウンリンク共有チャネルの肯定応答、否定応答及び不連続送信の指示を含み、
前記方法が、前記生成された直交周波数分割多元接続シンボルを物理アップリンク制御チャネルで送信するステップをさらに含む、
ことを特徴とする請求項１に記載の方法。
【請求項３】
前記セル固有のシフトパターンが、セルインデックス、システムフレーム番号及びシステムスロット番号のうちの少なくとも１つに基づく、
ことを特徴とする請求項１に記載の方法。
【請求項４】
ハンドオーバ後に新たなセルに接続した時点で、前記セル固有のシフトパターンを、前記新たなセルに固有の新たなシフトパターンに自動的に置き換える、
ことを特徴とする請求項１に記載の方法。
【請求項５】
少なくとも１つのメモリ上に具体化されて少なくとも１つのプロセッサにより実行される少なくとも１つのコンピュータプログラムコードによって実施される、
ことを特徴とする請求項１から４のいずれか１項に記載の方法。
【請求項６】
少なくとも１つのプロセッサと、
コンピュータプログラムコードを含む少なくとも１つのメモリと、
を備えた装置であって、前記少なくとも１つのメモリ及び前記コンピュータプログラムコードが、前記少なくとも１つのプロセッサによって前記装置に、
少なくともアップリンク伝送のためのＮ個の変調シンボルのグループを拡散率（ＳＦ）処理経路内で平行に処理させるように構成され、ここにおいてＮとＳＦは整数であり、ＳＦは拡散符号における要素数に等しく、該処理が、
前記ＳＦ処理経路の各々において、前記Ｎ個の変調シンボルに、前記拡散符号の一意の要素による乗算を行い、該ＳＦ処理経路の各々においてＮ個のシンボルを出力するステップと、
前記ＳＦ処理経路の各々において前記出力されたＮ個の前記変調シンボルに対する巡回シフトを実行するステップであって、各々のＳＦ処理経路は、複数の異なる巡回シフトを有する、セル固有のシフトパターンからの特定のシフトを用いているステップと、
を含み、
前記ＳＦ及びＮが、１よりも大きな整数を特徴とし、ＮはＳＦよりも大きく、
前記セル固有のシフトパターンが、全部で少なくともＳＦ個の巡回シフトを含み、
前記拡散符号が、前記セル内の前記装置に固有のブロック拡散符号であり、
前記グループが、離散フーリエ変換の拡散直交周波数分割多元接続シンボル（ＤＦＴ−Ｓ−ＯＦＤＭＡ）内の時間領域変調シンボルを含み、
前記コンピュータプログラムコードを含む前記少なくとも１つのメモリが、前記少なくとも１つのプロセッサによって前記装置に、前記時間領域変調シンボルを互いに巡回的にシフトさせるように構成され、
前記巡回シフトが、高速フーリエ変換前に行われる、
ことを特徴とする装置。
【請求項７】
前記変調シンボルのグループが、物理ダウンリンク共有チャネルの肯定応答、否定応答及び不連続送信の指示を含み、
前記コンピュータプログラムコードを含む前記少なくとも１つのメモリが、前記少なくとも１つのプロセッサによって前記装置に、前記生成された直交周波数分割多元接続シンボルを物理アップリンク制御チャネルで送信させるように構成される、
ことを特徴とする請求項６に記載の装置。
【請求項８】
前記セル固有のシフトパターンが、セルインデックス、システムフレーム番号及びシステムスロット番号のうちの少なくとも１つに基づく、
ことを特徴とする請求項６に記載の装置。
【請求項９】
前記コンピュータプログラムコードを含む前記少なくとも１つのメモリが、前記少なくとも１つのプロセッサによって前記装置に、ハンドオーバ後に新たなセルに接続した時点で、前記セル固有のシフトパターンを、前記新たなセルに固有の新たなシフトパターンに自動的に置き換えさせるように構成される、
ことを特徴とする請求項６に記載の装置。
【請求項１０】
前記周波数応答を巡回的にシフトするステップが、前記拡散符号を適用するステップの前にフーリエ変換を通じて行われる、
ことを特徴とする請求項９に記載の装置。
【請求項１１】
アップリンク伝送のためのＮ個の変調シンボルグループを拡散率（ＳＦ）処理経路内で平行に処理する手段を備えた装置であって、ここにおいてＮとＳＦは整数であり、ＳＦは拡散符号における要素数に等しく、該処理する手段が、
前記ＳＦ処理経路の各々において、前記Ｎ個の変調シンボルに、前記拡散符号の一意の要素による乗算を行い、該ＳＦ処理経路の各々においてＮ個のシンボルを出力する手段と、
前記ＳＦ処理経路の各々において前記出力されたＮ個の前記変調シンボルに対する巡回シフトを実行する手段であって、各々のＳＦ処理経路は、複数の異なる巡回シフトを有する、セル固有のシフトパターンからの特定のシフトを用いている手段と、
を備え、
前記ＳＦ及びＮが、１よりも大きな整数を特徴とし、ＮはＳＦよりも大きく、
前記セル固有のシフトパターンが、全部で少なくともＳＦ個の巡回シフトを含み、
前記拡散符号が、前記セル内の前記装置に固有のブロック拡散符号であり、
前記グループが、離散フーリエ変換の拡散直交周波数分割多元接続シンボル（ＤＦＴ−Ｓ−ＯＦＤＭＡ）内の時間領域変調シンボルを含み、
前記時間領域変調シンボルを互いに巡回的にシフトさせるように構成され、
前記巡回シフトが、高速フーリエ変換前に行われる、
ことを特徴とする装置。
【請求項１２】
前記処理する手段、前記巡回シフトを実行する手段、及び拡散符号を適用する手段が、少なくとも１つのメモリ上に具体化されて少なくとも１つのプロセッサにより実行される少なくとも１つのコンピュータプログラムコードを含む、
ことを特徴とする請求項１１に記載の装置。
【発明の詳細な説明】
【技術分野】
【０００１】
本発明の例示的かつ非限定的な実施形態は、一般に、無線通信システム、方法、装置及びコンピュータプログラムに関し、より具体的には、無線通信システムの隣接セルからの伝送間における同一チャネル干渉を軽減することに関する。
【背景技術】
【０００２】
本節には、特許請求の範囲に記載する本発明に至るまでの背景又は状況を示す。本明細書における説明は、追求できる概念を含むことができるが、この概念が必ずしも以前に考案又は追求されたものであるとは限らない。従って、本節で説明する内容は、本明細書において特に示さない限り、本出願における説明及び特許請求の範囲にとっての先行技術ではなく、本節に含まれることにより先行技術であると認められるものではない。
【０００３】
本明細書では、説明及び／又は図中に見出すことができるいくつかの略語について以下のように定義する。
３ＧＰＰ  第３世代パートナーシッププロジェクト
ＡＣＫ  肯定応答
ＣＤＭ  符号分割多重
ＤＬ  ダウンリンク（ｅＮＢからＵＥ方向）
ＤＲＸ  不連続送信
ｅＮＢ  ＥＵＴＲＡＮ  Ｎｏｄｅ  Ｂ（進化型Ｎｏｄｅ  Ｂ）
ＥＵＴＲＡＮ  進化型ＵＴＲＡＮ（ＬＴＥ）
ＦＦＴ  高速フーリエ変換
ＤＦＴ  離散フーリエ変換
ＤＦＴ−Ｓ  ＯＦＤＭＡ  ＤＦＴ拡散ＯＦＤＭＡ
ＨＡＲＱ  ハイブリッド自動再送要求
ＩＦＦＴ  逆高速フーリエ変換
ＬＴＥ  ロングタームエボリューション
ＭＡＣ  媒体アクセス制御
ＭＭ／ＭＭＥ  モビリティ管理／モビリティ管理エンティティ
ＮＡＣＫ  非肯定応答／否定応答
Ｎｏｄｅ  Ｂ  基地局
ＯＦＤＭＡ  直交周波数分割多元接続
ＰＤＣＣＨ  物理ダウンリンク制御チャネル
ＰＵＣＣＨ  物理アップリンク制御チャネル
ＲＦ  無線周波数
ＲＳ  基準シンボル
ＳＣ−ＦＤＭＡ  シングルキャリア周波数分割多元接続
ＳＦ  拡散率
ＵＥ  ユーザ装置
ＵＬ  アップリンク（ＵＥからｅＮＢ方向）
ＵＴＲＡＮ  ユニバーサル地上波無線アクセスネットワーク
【０００４】
進化型ＵＴＲＡＮ（ＥＵＴＲＡＮ：ＬＴＥ、Ｅ−ＵＴＲＡ又は３．９Ｇとも呼ばれる）として知られている通信システムでは、完成したＬＴＥリリース８におけるダウンリンクアクセス技術はＯＦＤＭＡであり、アップリンクアクセス技術はＳＣ−ＦＤＭＡである。本明細書においてＬＴＥ−Ａｄｖａｎｃｅｄ（ＬＴＥ−Ａ）と呼ぶ３ＧＰＰ  ＬＴＥのさらに進んだリリースは、３ＧＰＰ  ＬＴＥリリース８の無線アクセス技術を拡張及び最適化して、低コストでデータレートを高めることを目的としている。ＬＴＥ−Ａは、現在開発中のＬＴＥリリース１０に組み込まれる見込みであり、上述したリリース８のアクセス技術を継続する予定である。
【０００５】
図１は、３ＧＰＰ  ＴＳ  ３６．３００  Ｖ８．６．０（２００８年９月）の図４．１を再現したものであり、Ｅ−ＵＴＲＡＮシステムの全体的アーキテクチャを示している。ＥＵＴＲＡＮシステムは、ＵＥ方向のＥＵＴＲＡユーザプレーン及び制御プレーンのプロトコル終端を提供するｅＮＢを含む。ｅＮＢは、Ｘ２インターフェイスにより相互接続される。ｅＮＢは、Ｓ１インターフェイスによってモビリティ管理エンティティ（ＭＭＥ）及びサービングゲートウェイ（Ｓ−ＧＷ）にも接続される。Ｓ１インターフェイスは、ＭＭＥ／Ｓ−ＧＷとｅＮＢの間の多対多の関係をサポートする。
【０００６】
ＬＴＥ−Ａでは、ＲＡＮ１  ＃６１−２中に、キャリアアグリゲーションを使用して４つよりも多くのダウンリンクＡＣＫ／ＮＡＣＫビットをサポートするリリース１０のＵＥに対し、ＰＵＣＣＨ上のＨＡＲＱ−ＡＣＫ／ＮＡＣＫのシグナリングスキームとしてブロック拡散ＤＦＴ−Ｓ−ＯＦＤＭＡを使用することが合意された。例えば、（Ｎｏｋｉａ社による）ＵＥが送信すべきデータを有していない場合のＬ１／Ｌ２制御シグナリングの多重化（Ｍｕｌｔｉｐｌｅｘｉｎｇ  ｏｆ  Ｌ１／Ｌ２  Ｃｏｎｔｒｏｌ  Ｓｉｇｎａｌｌｉｎｇ  ｗｈｅｎ  ＵＥ  ｈａｓ  ｎｏ  ｄａｔａ  ｔｏ  ｔｒａｓｍｉｔ）という表題の文献Ｒ１−０６２８４１、（Ｎｏｋｉａ  Ｓｉｅｍｅｎｓ  Ｎｅｔｗｏｒｋ社及びＮｏｋｉａ社による）ＬＴＥ−ＡｄｖａｎｃｅｄアップリンクにおけるＣＳＩフィードバックシグナリングについて（Ｏｎ  ＣＳＩ  ｆｅｅｄｂａｃｋ  ｓｉｇｎａｌｌｉｎｇ  ｉｎ  ＬＴＥ−Ａｄｖａｎｃｅｄ  ｕｐｌｉｎｋ）という表題の文献Ｒ１−０９１３５３、及び（ＮＴＴ  ＤｏＣｏＭｏ社、Ｎｏｋｉａ  Ｓｉｅｍｅｎｓ  Ｎｅｔｗｏｒｋ社、Ｎｏｋｉａ社、三菱電機株式会社、及び東芝株式会社による）ＣＱＩレポートのためのＰＵＣＣＨ構造について（Ｏｎ  ＰＵＣＣＨ  Ｓｔｒｕｃｔｕｒｅ  ｆｏｒ  ＣＱＩ  Ｒｅｐｏｒｔ）という表題の文献Ｒ１−０７４８１２を参照されたい。一般に、ランダム化の目的は、図１に示す２つの隣接するｅＮＢなどの隣接セルに由来する干渉する（単複の）ブロック拡散ＤＦＴ信号を制限することにある。
【０００７】
図２に、ＳＦ＝５の場合のブロック拡散ＤＦＴ−Ｓ−ＯＦＤＭのブロックレベルの表現を示している。単一セル内の異なるＵＥからのデータ信号は、ｗで表す異なるブロックレベル拡散符号によって分離される。図２では、変調シンボル［ｄ（０）、ｄ（１）、．．．ｄ（Ｎ）］に対してＦＦＴが行われ、これらが１つの特定のＵＥの拡散符号ｗのＳＦ＝５の要素であるｗ０、ｗ１、．．．ｗ４によって乗算され、これらの５つの結果に対して並行ＩＦＦＴが行われ、時間領域ＯＦＤＭＡシンボルが基準シンボルＲＳとともに伝送フレームに挿入され、これをＵＥがＵＬで送信する。
【先行技術文献】
【非特許文献】
【０００８】
【非特許文献１】３ＧＰＰ  ＴＳ  ３６．３００  Ｖ８．６．０（２００８年９月）
【非特許文献２】文献Ｒ１−０６２８４１「ＵＥが送信すべきデータを有していない場合のＬ１／Ｌ２制御シグナリングの多重化（Ｍｕｌｔｉｐｌｅｘｉｎｇ  ｏｆ  Ｌ１／Ｌ２  Ｃｏｎｔｒｏｌ  Ｓｉｇｎａｌｌｉｎｇ  ｗｈｅｎ  ＵＥ  ｈａｓ  ｎｏ  ｄａｔａ  ｔｏ  ｔｒａｓｍｉｔ）」
【非特許文献３】文献Ｒ１−０９１３５３「ＬＴＥ−ＡｄｖａｎｃｅｄアップリンクにおけるＣＳＩフィードバックシグナリングについて（Ｏｎ  ＣＳＩ  ｆｅｅｄｂａｃｋ  ｓｉｇｎａｌｌｉｎｇ  ｉｎ  ＬＴＥ−Ａｄｖａｎｃｅｄ  ｕｐｌｉｎｋ）」
【非特許文献４】文献Ｒ１−０７４８１２「ＣＱＩレポートのためのＰＵＣＣＨ構造について（Ｏｎ  ＰＵＣＣＨ  Ｓｔｒｕｃｔｕｒｅ  ｆｏｒ  ＣＱＩ  Ｒｅｐｏｒｔ）」
【非特許文献５】文献Ｒ１−１００９０９「キャリアアグリゲーションのためのアップリンクにおけるＡ／Ｎ伝送（Ａ／Ｎ  ｔｒａｎｓｍｉｓｓｉｏｎ  ｉｎ  ｔｈｅ  ｕｐｌｉｎｋ  ｆｏｒ  ｃａｒｒｉｅｒ  ａｇｇｒｅｇａｔｉｏｎ）」
【非特許文献６】文献Ｒ１−１０１７３０「キャリアアグリゲーションのためのＰＵＣＣＨ設計（ＰＵＣＣＨ  ｄｅｓｉｇｎ  ｆｏｒ  ｃａｒｒｉｅｒ  ａｇｇｒｅｇａｔｉｏｎ）」
【発明の概要】
【発明が解決しようとする課題】
【０００９】
ＬＴＥ−Ａにおける１つの課題は、少なくとも、セル間のブロック符号領域を十分にランダム化するために利用可能な十分なブロック拡散符号が存在しない点である。しかしながら、ＤＦＴ−Ｓ−ＯＦＤＭＡなどのＣＤＭベースのスキームにとっては、同じブロック拡散符号を使用するＵＥ間の同一チャネル干渉を減衰させるためにランダム化が重要である。そうでなければ、例えば、第１のセルの端部で動作する１つのＵＥからの伝送が、隣接セルで動作する同じブロック拡散符号を使用する別のＵＥからの伝送と定期的に干渉する場合がある。
【００１０】
１つの考えられる解決策は、符号化したビットに、ＤＦＴ−Ｓ−ＯＦＤＭＡシンボル固有のスクランブルシーケンスとセル固有のスクランブルシーケンスでスクランブルをかけることである。これについては、キャリアアグリゲーションのためのアップリンクにおけるＡ／Ｎ伝送（Ａ／Ｎ  ｔｒａｎｓｍｉｓｓｉｏｎ  ｉｎ  ｔｈｅ  ｕｐｌｉｎｋ  ｆｏｒ  ｃａｒｒｉｅｒ  ａｇｇｒｅｇａｔｉｏｎ）という表題の文献Ｒ１−１００９０９、及びキャリアアグリゲーションのためのＰＵＣＣＨ設計（ＰＵＣＣＨ  ｄｅｓｉｇｎ  ｆｏｒ  ｃａｒｒｉｅｒ  ａｇｇｒｅｇａｔｉｏｎ）という表題の文献Ｒ１−１０１７３０に詳述されており、これらはいずれもＥｒｉｃｓｓｏｎ社及びＳＴ−Ｅｒｉｃｓｓｏｎ社によるものである。しかしながら、ＤＦＴ−Ｓ−ＯＦＤＭシンボル間では、同じデータシンボル［ｄ（０）、．．．ｄ（Ｎ−１）］が変化しないので、スクランブルシーケンスは、ＤＦＴ−Ｓ−ＯＦＤＭＡシンボル固有であること、すなわちＤＦＴ−Ｓ−ＯＦＤＭシンボル間で異なることが必要となる。ピーク対平均電力比（ＰＡＲ又はＰＡＰＲ）の増加を避けるには、文献Ｒ１−１０１７３０の図１に示すように（ＦＦＴ前又はＩＦＦＴ後に）時間領域でスクランブル化を行うことが有利である。しかしながら、ＦＦＴ処理前にスクランブル化を行うということは、図２に示すような１つのＦＦＴブロックの代わりに、文献Ｒ１−１０１７３０の図１に示すように、各ＩＦＦＴブロックのすぐ上流に別個のＦＦＴブロックが存在するという複雑性が加わることを意味する。
【課題を解決するための手段】
【００１１】
本発明の例示的な実施形態は、全ての隣接セルにわたる全てのＵＥに一意の拡散符号を割り当てることによって隣接セル内のＵＥからのブロック拡散伝送を直接ランダム化するのに十分な異なるブロック拡散符号が存在しない場合でも、上述したような複雑性を加えることなく隣接セル内のＵＥからのブロック拡散伝送をランダム化することにより同一チャネル干渉を軽減するものである。
【００１２】
本発明の例示的な態様では、アップリンク伝送のための変調シンボルのグループを処理するステップを含み、この処理ステップが、グループ内の変調シンボルをセル固有のシフトパターンに従って巡回的にシフトするステップと、シンボルのグループに拡散符号を適用するステップとを含む方法が存在する。
【００１３】
本発明の例示的な態様では、少なくとも１つのプロセッサと、コンピュータプログラムコードを含む少なくとも１つのメモリとを備えた装置が存在し、この少なくとも１つのメモリ及びコンピュータプログラムコードは、少なくとも１つのプロセッサによって装置に、少なくともアップリンク伝送のための変調シンボルのグループを処理させるように構成され、この処理は、グループ内の変調シンボルをセル固有のシフトパターンに従って巡回的にシフトするステップと、シンボルのグループに拡散符号を適用するステップとを含む。
【００１４】
本発明の別の例示的な態様では、アップリンク伝送のための変調シンボルグループを処理する手段を備え、この処理する手段が、グループ内の変調シンボルをセル固有のシフトパターンに従って巡回的にシフトする手段と、シンボルのグループに拡散符号を適用する手段とを備える装置が存在する。
【００１５】
添付図面の図と併せて以下の詳細な説明を読めば、本発明の実施形態の上述の及びその他の態様がより明らかになる。
【図面の簡単な説明】
【００１６】
【図１】３ＧＰＰ  ＴＳ  ３６．３００の図４を再現した、Ｅ−ＵＴＲＡＮシステムの全体的アーキテクチャを示す図である。
【図２】拡散率５の場合のブロック拡散ＤＦＴ−Ｓ−ＯＦＤＭの回路のブロックレベル図である。
【図３】本発明の例示的な実施形態による、拡散率５の場合の、時間を巡回的にシフトするブロック拡散ＤＦＴ−Ｓ−ＯＦＤＭの回路のブロックレベル図である。
【図４】本発明の例示的な実施形態による、拡散率５の場合の、周波数応答を巡回的にシフトするブロック拡散ＤＦＴ−Ｓ−ＯＦＤＭの回路のブロックレベル図である。
【図５】本発明の例示的な実施形態の実践における使用に適した様々な電子装置の簡略ブロック図である。
【図６】本発明の例示的な実施形態による、方法の動作、及びコンピュータ可読メモリ上に具体化されるコンピュータプログラム命令の実行結果を示す論理フロー図である。
【発明を実施するための形態】
【００１７】
本発明の例示的な実施形態では、ＵＥが、現在接続されているセルに固有のシフトパターンを判断する。ＵＥは、ｅＮＢからの伝送（例えば、システム情報）からシフトパターンを学習し、或いはＵＥのメモリに予め記憶された公式への入力としてセルインデックス又はシステムフレーム番号又はシステムスロット番号を使用することにより、このシフトパターンの知識を得ることもできる（全てのＵＥ及びｅＮＢが従う公式が支配的な無線仕様によって規定されている場合など）。ＵＥがその後送信すべきアップリンクデータを有している場合、これがシンボル又はビットグループの形であることについて検討する。情報は、特定の実装に応じて、ベースバンド、中間周波数又は無線周波数でのシンボル又はビットグループ内に存在することができる。一例として、これらのシンボル又はビットグループは、ｅＮＢが送信してきたＰＤＣＣＨ（又は、より一般的にはダウンリンクスケジューリングアロケーション）に応答して、ＵＥがＰＵＣＣＨ上でシグナリングする予定のＡＣＫ、ＮＡＣＫ、及び／又はＤＴＸビットである。ＵＥは、このアップリンク伝送のための単一のシンボル又はビットグループを２つの点で処理する。ＵＥは、これらのグループ内のシンボル又はビットを、記憶しているセル固有のシフトパターンに従って巡回的にシフトする。また、ＵＥは、セル内でこのＵＥに割り当てられた拡散符号をシンボル又はビットグループに適用する。ＬＴＥ−Ａでは、この拡散符号がセルごとに一意のＵＥ固有の拡散符号であるが、隣接セル内のＵＥを考慮した場合には必ずしも一意であるとは限らない。
【００１８】
このようにして、ＤＦＴ−Ｓ−ＯＦＤＭＡシンボル内のＡＣＫ／ＮＡＣＫ／ＤＲＸデータシンボルは、セルに固有の所定の疑似乱数シフトパターンに従って巡回的にシフトされる。以下の詳細な説明は、ＬＴＥ−Ａ及びＵＬ上のＤＦＴ−Ｓ−ＯＦＤＭＡシグナリングを背景とするものであるが、本明細書における、伝送をランダム化して同一チャネル干渉を回避又は軽減するという広範な教示は、ＯＦＤＭＡシンボルにも、ＬＴＥ−Ａ／リリース１０にも、制御シグナリングのみにも限定されるものではない。
【００１９】
また、本発明の例示的な実施形態は、上記の背景技術の節で説明した先行技術文献Ｒ１−１０１７３０及びＲ１−１００９０９に当てはまると思われる追加のＤＦＴ動作を導入することなくＤＦＴ−Ｓ−ＯＦＤＭＡシンボルのランダム化を実現する。
【００２０】
いくつかの実施形態では、本明細書に示す例示的なランダム化スキームを、可変ブロック拡散符号に加えて適用することができる。或いは、他の実施形態では、全てのセルで同じブロック拡散符号を使用することができ、これらの教示に従って依然としてＵＥ伝送をランダム化することができる。
【００２１】
図３は、ブロック拡散ＤＦＴ−Ｓ−ＯＦＤＭのためのＵＥ内の機能ブロックのブロックレベル図である。図２のＳＦ＝５のように、図３には、時間を巡回的にシフトする本発明の特定の実施形態を示す。現在、ＬＴＥ−Ａでは、ＰＵＣＣＨにおいてＯＦＤＭＡシンボルごとにＮ＝１２個の変調シンボルを使用するが、簡単にするために図３ではＮ＝６とし、従ってＵＥがＵＬでシグナリングしたいと望む情報を搬送する変調シンボル３０２としては、［ｄ０、ｄ１、ｄ２、ｄ３、ｄ４、ｄ５］で表す６個が存在すると仮定する。一例として、これら６個の各々は、ＡＣＫ、ＮＡＣＫ及びＤＴＸの組から選択され、ＰＤＣＣＨに応答してＰＵＣＣＨで送信される。これらの未シフトのＮ＝６個の変調シンボルは、ブロック３０４において、高速フーリエ変換ＦＦＴ又はＤＦＴとすることができるフーリエ変換を受ける。
【００２２】
図３には、Ａ〜Ｅで表し点線ボックスで分けた５つの平行な処理経路をさらに示している。各処理経路からは、ＰＵＣＣＨ３１４内に１つのＯＦＤＭＡシンボルが生じ、これらは同様に動作するので、１つの経路Ａのみについて詳述する。図示のように、図３の実施形態では、各処理経路Ａ〜Ｅにおいて、最初に変調シンボルの周波数領域グループ［ｄ０、ｄ１、ｄ２、ｄ３、ｄ４、ｄ５］が、ＵＥの拡散符号ｗのＳＦ＝５の要素［ｗ０、ｗ１、ｗ２、ｗ３、ｗ４］のうちの一意の１つによって乗算される。経路Ａでは、乗算器３０６Ａを使用して、変調シンボルの周波数領域グループ［ｄ０、ｄ１、ｄ２、ｄ３、ｄ４、ｄ５］が拡散要素ｗ０によって乗算され、従って乗算器の出力は［ｗ０ｄ０、ｗ０ｄ１、ｗ０ｄ２、ｗ０ｄ３、ｗ０ｄ４、ｗ０ｄ５］となる。この出力に対し、シフタ３０８Ａにおいて巡回シフトが行われる。
【００２３】
このセルのシフトパターンをｓ０とし、図３の例では、このｓ０が、Ｎ＝６の変調シンボルに対して以下のシフトパターンを与えると仮定する。
ｓ０シフト１：［ｄ１、ｄ２、ｄ３、ｄ４、ｄ５、ｄ０］
ｓ０シフト２：［ｄ２、ｄ３、ｄ４、ｄ５、ｄ０、ｄ１］
ｓ０シフト３：［ｄ３、ｄ４、ｄ５、ｄ０、ｄ１、ｄ２］
ｓ０シフト４：［ｄ４、ｄ５、ｄ０、ｄ１、ｄ２、ｄ３］
ｓ０シフト５：［ｄ５、ｄ０、ｄ１、ｄ２、ｄ３、ｄ４］
ｓ０シフト６：［ｄ０、ｄ１、ｄ２、ｄ３、ｄ４、ｄ５］
【００２４】
ＦＦＴブロック３０４に入力されるグループ３０２と比較した場合、上記の「シフト６」のシンボルグループはシフトされていないが、上記の一連のシフトされたシンボル内のシフト６に先行する「シフト５」のシリーズと比較するとシフトされている。なお、この例では、シンボルが互いにシフトされている。これが時間のシフトであり、シンボルの順序が変更される。セル固有のシフトパターンでは、Ｎ個の変調シンボルがシフトされるので、上記の例によって示す少なくとも全部でＮ＝６個のシフトが生じる。しかしながら、図３では、これらのＮ個の変調シンボルのシフトが周波数領域で行われるので（論理的には時間のシフトであるが、数学的には位相のシフトとみなすことができる）、いくつかの例示的な実施形態では、パターン全体における一意のシフトの総数は、シフトされる変調シンボルの数Ｎを超えることがある。
【００２５】
上記のセル固有のシフトをｓ０とし、この例では、上記の６つのシフトのそれぞれの最初の５つが、図３の経路Ａ〜Ｅのそれぞれの５つの処理経路においてそれぞれのシフトブロックを課せられると仮定する。図３の経路Ａ沿いに位置するシフトブロック３０８Ａでは「シフト１」が適用され、この入力及び出力は以下のようになる。
シフトブロック３０８Ａへの入力：［ｗ０ｄ０、ｗ０ｄ１、ｗ０ｄ２、ｗ０ｄ３、ｗ０ｄ４、ｗ０ｄ５］
シフトブロック３０８Ａの出力：［ｗ０ｄ１、ｗ０ｄ２、ｗ０ｄ３、ｗ０ｄ４、ｗ０ｄ５、ｗ０ｄ０］
【００２６】
図３の経路Ｂ沿いに位置するシフトブロックでは「シフト２」が適用され、この入力及び出力は、以下の変調シンボルの周波数領域グループになる。
経路Ｂ上のシフトブロックへの入力：［ｗ１ｄ０、ｗ１ｄ１、ｗ１ｄ２、ｗ１ｄ３、ｗ１ｄ４、ｗ１ｄ５］
経路Ｂ上のシフトブロックの出力：［ｗ１ｄ２、ｗ１ｄ３、ｗ１ｄ４、ｗ１ｄ５、ｗ１ｄ０、ｗ１ｄ１］
【００２７】
他のそれぞれのシフトを行う他の処理経路に関しても同様である。シフタブロックの出力に対してＩＦＦＴが行われ（いくつかの実装では、その他の中間処理が行われることもある）、これを処理経路Ａ上のＩＦＦＴブロック３１０Ａによって示す。最終的に、経路Ａからは、ＤＦＴ−Ｓ−ＯＦＤＭＡシンボル３１２Ａが生成される。他のそれぞれの処理ラインからは、同様のこのようなＤＦＴ−Ｓ−ＯＦＤＭＡシンボル３１２Ｂ、３１２Ｃ、３１２Ｄ、３１２Ｅが生成される。ＤＦＴ−Ｓ−ＯＦＤＭＡシンボル間には、所定のパターンに従ってＲＳ３１１、３１３が散在して、ＰＵＣＣＨ３１４の全体的なタイムスロットを形成する。
【００２８】
ここで、図３に関して上述したＵＥのような正確に同じ拡散符号ｗ＝［ｗ０、ｗ１、ｗ２、ｗ３、ｗ４］が偶然に割り当てられた隣接セル内で同時にＵＥが動作しているとの観点から図３を検討する。さらに、両方のＵＥが、それぞれのＰＵＣＣＨで同時に全てのＡＣＫを送信し、従って元々のシンボルグループ３０２も同一であると仮定する。図３の例で使用したシフトパターンｓ０はセル固有であり、従って隣接セルは、ｓ０とは同一でない独自のセル固有のシフトパターンｓ１を有することになる。
【００２９】
一例として、この隣接セルのシフトパターンｓ１が以下のシフトパターンを与えると仮定する。
ｓ１シフト１：［ｄ２、ｄ３、ｄ４、ｄ５、ｄ０、ｄ１］
ｓ１シフト２：［ｄ３、ｄ４、ｄ５、ｄ０、ｄ１、ｄ２］
ｓ１シフト３：［ｄ４、ｄ５、ｄ０、ｄ１、ｄ２、ｄ３］
ｓ１シフト４：［ｄ５、ｄ０、ｄ１、ｄ２、ｄ３、ｄ４］
ｓ１シフト５：［ｄ０、ｄ１、ｄ２、ｄ３、ｄ４、ｄ５］
ｓ１シフト６：［ｄ１、ｄ２、ｄ３、ｄ４、ｄ５、ｄ０］
【００３０】
ｓ０で動作する第１のセルと同様に、この隣接セルに接続されたＵＥは、これらのｓ１シフトのうちの最初の５つのみを使用する。異なるセル内の両ＵＥが、それぞれのＰＵＣＣＨを正確に同時に送信し、その基礎を成すデータ及び拡散符号が、上記で仮定したように同一であるとした場合、図３に示すＯＦＤＭＡシンボル３１２Ａと時間的に対応する隣接セル内のＵＥが送信するＯＦＤＭＡシンボルは、［ｗ０ｄ２、ｗ０ｄ３、ｗ０ｄ４、ｗ０ｄ５、ｗ０ｄ０、ｗ０ｄ１］となり、第１のＵＥのシフトブロック３０８Ａからの出力として上述したものとは異なる。
【００３１】
このように、同じ拡散符号を割り当てられている可能性のあるＵＥ間の同一チャネル干渉を軽減するために、異なるセル内で動作するＵＥによる伝送に、あるレベルのランダム化が課される。従って、これらの教示は、拡散符号がセルごとにＵＥ固有でない場合でも、同一チャネル干渉を軽減するように作用する。
【００３２】
たとえＰＵＣＣＨの伝送タイミングが、異なるセル内のＵＥからの同様にシフトされたＤＦＴ−Ｓ−ＯＦＤＭＡシンボルが互いに干渉するようなものであっても、異なるセルにわたるパターンの繰り返しがランダム化によって分断されるので、干渉は１つのＤＦＴ−Ｓ−ＯＦＤＭＡシンボルのみに制限されるようになる。
【００３３】
上記の背景技術の節で説明した文献Ｒ１−１０１７３０及びＲ１−１００９０９に記載されるスクランブルでは、異なるセル内のＵＥに由来する同じデータシンボルが存在する場合、これらは全てのＤＦＴ−Ｓ−ＯＦＤＭＡシンボルにおいて互いに干渉するが、位相を変化させることによって干渉がランダム化される。しかしながら、本発明の上記の例示的な実施形態では、データシンボルが、セル固有の疑似乱数シフトパターンに従って、１つのＤＦＴ−Ｓ−ＯＦＤＭＡシンボルから別のＤＦＴ−Ｓ−ＯＦＤＭＡシンボルへと巡回的にシフトされる。従って、連続するＤＦＴ−Ｓ−ＯＦＤＭＡシンボルにおいて互いに干渉する可能性のある異なるセルから送出されるデータシンボルが異なり、これによりセル間干渉のランダム化が行われて、隣接セルにわたってあらゆる同じパターンが繰り返されるのを分断し、複数の／連続するＯＦＤＭＡシンボル間の干渉を回避する。
【００３４】
なお、図３では、代替的にシフタブロックを乗算器ブロックの上流に配置して、拡散符号ｗの関連要素を乗算する前に巡回シフトを課すようにしてもよい。上記の図３の例を振り返ると、ＩＦＦＴブロックへの入力に対して同じ結果が得られることを示している。図３のＦＦＴブロック３０４の前に巡回シフトが課されたとしても同様である（ただし、この場合には、１つのＦＦＴブロックを通じた多重シフトの順次処理から伝送フレームを遅延なく形成するために、経路Ａ〜ＥごとのＦＦＴ処理が好ましいと考えられる）。
【００３５】
上記の図３の例は、ＦＦＴ３０４とＩＦＦＴ３１０Ａの間の周波数領域で時間シフトが行われているにもかかわらず、論理的には変調シンボル３０２の時間シフトである。グループ３０２のシンボル／ビットを、その周波数応答において巡回的にシフトすることにより、同様のランダム化を行うことができる。要するに、シンボル／ビット３０２自体の順序を空間的に並べ替えるのではなく、これらのシンボル／ビットを周波数ビン内に配置して、このシンボル／ビットを配置した周波数ビンの順序をセル固有のシフトパターンに従って巡回的に変化させる。従って、例えば、周波数ビンｆ０、ｆ１、ｆ２、ｆ３、ｆ４の周波数順序が連続しているとみなす場合、例示的なセル固有のシフトパターンｆｓ２を以下のように表すことができる。
ｆｓ２シフト１：［ｆ１、ｆ２、ｆ３、ｆ４、ｆ０］
ｆｓ２シフト２：［ｆ２、ｆ３、ｆ４、ｆ０、ｆ１］
ｆｓ２シフト３：［ｆ３、ｆ４、ｆ０、ｆ１、ｆ２］
ｆｓ２シフト４：［ｆ４、ｆ０、ｆ１、ｆ２、ｆ３］
ｆｓ２シフト５：［ｆ０、ｆ１、ｆ２、ｆ３、ｆ４］
【００３６】
周波数ビン内に配置されるシンボル／ビット３０２の順序には、シンボル／ビットがＤＦＴブロックによって処理される周波数を巡回的にシフトすることによってランダム化が課されるので、これを図３のように変更する必要はない。図４に、データシンボルの周波数応答を巡回的にシフトするための機能配置の例示的な実施形態を示す。図４は、各処理経路Ａ〜Ｅ上に別個のＤＦＴ処理ブロックが存在し、これらの各異なるＤＦＴ処理ブロックが異なる周波数ビンの巡回シフトを課すことを除き、図３と同じものである。一例として、経路Ａ沿いのＤＦＴシフトブロック４０８Ａは、一例として上記に示した「ｆｓ２シフト１」を課し、他の処理経路Ｂ〜Ｅは、上記に示した他のそれぞれのｆｓ２シフトを課す。
【００３７】
この巡回周波数シフトの例では、連続するＤＦＴ−Ｓ−ＯＦＤＭＡシンボル内でデータシンボルの異なる周波数ビンが互いに干渉するという点でセル間干渉のランダム化が実現される。
【００３８】
空間シフトの実施形態又は周波数ビンシフトの実施形態のいずれにおいても、ＤＦＴ−Ｓ−ＯＦＤＭＡシンボル固有のシフト値の数は、ＤＦＴ−Ｓ−ＯＦＤＭＡシンボルあたりの変調シンボルの数Ｎに従って変化し、例えばＮ＝１２個の変調シンボルの場合には［０、１、．．．、１１］となる。時間ビンシフトの実施形態又は周波数ビンシフトの実施形態のいずれにおいても、巡回シフトパターンは、セルインデックス及びシステムフレーム又はスロット番号に基づく疑似乱数シーケンスとすることができる。
【００３９】
１つの実施形態では、所定のセル間で使用するブロック拡散符号が、ランダム化ではなく協調される。隣接するｅＮＢが、それぞれのＵＥ固有のブロック拡散符号の使用を所定の方法で協調させることができ、従って、例えば第１のｅＮＢが、隣接する第２のｅＮＢが最も頻繁に使用する特定の拡散符号又はその他の直交リソース空間を使用するのを控えることができる。このように、特定のリソースグループ内ではｅＮＢ間の協調が行われるが、異なるグループ間では行われない。協調は、協調的なグループ内での干渉を軽減する役に立ち、ランダム化は、異なるグループ間の干渉を軽減する手段となる。いくつかの実施形態では、協調的に使用されるセルに対して同じシフトシーケンス（及び同じブロック拡散符号）が構成されるようにして、ブロック拡散符号の協調的使用を実現することができる。
【００４０】
１つの特定の実施形態では、ブロック拡散ＤＦＴ−Ｓ−ＯＦＤＭＡのために、別個のセル及びシンボル固有のシフトシーケンスが定義される。別の特定の実施形態では、ＰＵＣＣＨに対して定義されたＬＴＥリリース８／リリース９の巡回シフトホッピングパターンが、ブロック拡散ＤＦＴ−Ｓ−ＯＦＤＭＡシンボルの変調シンボルのシフトパターンとして適用される。この点に関し、図３に示すＲＳ３１１、３１３は、空間シフト法及び周波数ビンシフト法の両方において、ＬＴＥリリース８／リリース９に関して詳述される巡回シフトホッピングに従うことができる。
【００４１】
上記の詳述した例示的な実施形態の１つの技術的効果は、ランダム化の実施がＵＥ及びｅＮＢのいずれの観点からも容易であり、従って既存のインフラを大幅に変更する必要がない点である。さらに、これらの教示では、ＰＵＣＣＨシグナリングの既存の構成単位を最大限に再利用することができ、すなわち標準化も容易であろうことを意味する。また、当然ながら、別の技術的効果として、これらの教示の実施形態がもたらすブロック拡散ＤＦＴ−Ｓ−ＯＦＤＭＡのための十分なランダム化が挙げられる。
【００４２】
ここで、本発明の例示的な実施形態の実践における使用に適した様々な電子装置及び装置の簡易ブロック図を示す図５を参照する。図５では、無線ネットワーク９が、Ｎｏｄｅ  Ｂ（基地局）、より具体的にはｅＮＢ１２などのネットワークアクセスノードを通じ、ＵＥ１０と呼ぶことができるモバイル通信装置などの装置と無線リンク１１を介して通信するように適合されている。ネットワーク９は、ネットワーク制御要素（ＮＣＥ）１４を含むことができ、このＮＣＥ１４は、図１に示すＭＭＥ／Ｓ−ＧＷ機能を含むとともに、電話ネットワーク及び／又はデータ通信ネットワーク（例えば、インターネット）などの広域ネットワークとの接続性を提供することができる。
【００４３】
ＵＥ１０は、コンピュータ又はデータプロセッサ（ＤＰ）１０Ａなどのコントローラと、コンピュータ命令のプログラム（ＰＲＯＧ）１０Ｃを記憶するメモリ（ＭＥＭ）１０Ｂとして具体化されるコンピュータ可読記憶媒体と、１又はそれ以上のアンテナを介してｅＮＢ１２と双方向無線通信するのに適した無線周波数（ＲＦ）送信機及び受信機１０Ｄと、を含む。ｅＮＢ１２も、コンピュータ又はデータプロセッサ（ＤＰ）１２Ａなどのコントローラと、コンピュータ命令のプログラム（ＰＲＯＧ）１２Ｃを記憶するメモリ（ＭＥＭ）１２Ｂとして具体化されるコンピュータ可読記憶媒体と、１又はそれ以上のアンテナを介してＵＥ１０と通信するのに適したＲＦ送信機及び受信機１２Ｄと、を含む。ｅＮＢ１２は、データ／制御パス１３を介してＮＣＥ１４に結合される。パス１３は、図１に示すＳ１インターフェイスとして実装することができる。ｅＮＢ１２は、図１Ａに示すＸ２インターフェイスとして実装できる代表的なデータ／制御パス１５を介して隣接セル内の他のｅＮＢにも結合することができる。完璧を期すために、ＭＭＥ１４も、ＤＰ１４Ａ、ＰＲＯＧ１４Ｃを記憶するＭＥＭ１４Ｂを含み、また送信機及び受信機を含んでもよいし、又はデータ／制御パス１３を介した有線通信のためのモデムのみを含んでもよい。
【００４４】
以下でより詳細に説明するように、ＰＲＯＧ１０Ｃ及び１２Ｃの少なくとも一方は、関連するＤＰによって実行された時に、装置が本発明の例示的な実施形態に従って動作できるようにするプログラム命令を含むと仮定される。すなわち、本発明の例示的な実施形態は、ＵＥ１０のＤＰ１０Ａ及び／又はｅＮＢ１２のＤＰ１２Ａが実行できるコンピュータソフトウェアにより、又はハードウェアにより、又はソフトウェアとハードウェア（及びファームウェア）の組み合わせにより少なくとも部分的に実施することができる。
【００４５】
本発明の例示的な実施形態の説明では、ＵＥ１０が巡回シフタ１０Ｅも含むと仮定することができ、ｅＮＢ１２は、ＵＥが送信してきたＤＦＴ−Ｓ−ＯＦＤＭＡシンボル内のＵＥが課した巡回シフトを取り除く巡回シフタ１２Ｅを含むことができる。上記の実施形態によれば、巡回シフタ１０Ｅ／１２Ｅは、時間又は周波数ビンをシフトするように動作することができる。シフタ１０Ｅ／１２Ｅは、関連する処理がベースバンドで行われるような場合には、それぞれのＤＰ１０Ａ／１２Ａ内に、又は関連する処理がＲＦで行われるような場合には、送信機及び受信機１０Ｄ／１２Ｄとして表されるＲＦフロントエンドチップ内に実装することができ、或いはＤＰ１０Ａ／１２Ａのタイミングにスレーブな他の何らかのプロセッサ内に実装することができる。ｅＮＢ１２の動作は、ＵＥ１０に関する上記の説明に従うが、ｅＮＢ１２がＰＵＣＣＨで受け取ったＯＦＤＭＡシンボルから巡回シフトを取り除くように逆に動作する。
【００４６】
一般に、ＵＥ１０の様々な実施形態は、以下に限定されるわけではないが、携帯電話機、無線通信能力を有する携帯情報端末（ＰＤＡ）、無線通信能力を有するポータブルコンピュータ、無線通信能力を有するデジタルカメラなどの画像取り込み装置、無線通信能力を有するゲーム機、無線通信能力を有する音楽記憶及び再生機器、無線インターネットアクセス及びブラウジングが可能なインターネット家電、並びにこのような機能の組み合わせを内蔵するポータブル装置又は端末を含むことができる。
【００４７】
コンピュータ可読ＭＥＭ１０Ｂ及び１２Ｂは、ローカル技術環境に適したいずれのタイプのものであってもよく、半導体ベースの記憶装置、フラッシュメモリ、磁気記憶装置及びシステム、光記憶装置及びシステム、固定メモリ及び取り外し可能メモリなどのあらゆる好適なデータ記憶技術を使用して実装することができる。ＤＰ１０Ａ及び１２Ａは、ローカル技術環境に適したいずれのタイプのものであってもよく、非限定的な例として、汎用コンピュータ、専用コンピュータ、マイクロプロセッサ、デジタルシグナルプロセッサ（ＤＳＰ）、及びマルチコアプロセッサアーキテクチャに基づくプロセッサのうちの１又はそれ以上を含むことができる。
【００４８】
上述の内容に基づけば、本発明の例示的な実施形態は、方法、及び少なくとも１つのプロセッサと、コンピュータ可読命令のプログラムを記憶する少なくとも１つのメモリと、メモリ上に有形的に具体化されたコンピュータプログラムとを有するＵＥ１０（又はこのようなＵＥ１０のための１又はそれ以上の構成要素）などの装置を提供することが明らかなはずである。これらの例示的な実施形態を、一例として、図６に詳述するような、及び上記の詳細な例でさらに詳述したような動作を実行するように構成することができる。
【００４９】
図６は、このような例示的な動作又は方法ステップを示す論理フロー図である。ブロック６０２において、アップリンク伝送のための変調シンボルグループを処理し、この処理は、ブロック６０４において、グループ内の変調シンボルをセル固有のシフトパターンに従って巡回的にシフトするステップを含む。ブロック６０６における処理は、シンボル又はビットグループに拡散符号を適用するステップを含む。なお、図６のあらゆるブロック間の線は、互いを考慮して動作を実行できることを少なくとも示す。
【００５０】
図６に明示的に示す広範な要素とともに、以下の任意の動作又は要素を単独で、又はあらゆる様々な組み合わせで実行することができる。
・ブロック６０８の拡散符号では、拡散符号が拡散率（ＳＦ）を特徴とし、グループ内にはＮ個のシンボル又はビットが存在し、前記ＳＦ及びＮの各々が、１よりも大きな整数を特徴とし、ＮはＳＦよりも大きく、セル固有のシフトパターンが、全部で少なくともＳＦ個のシンボル又はビットの巡回シフトを含む。
・ブロック６１０の拡散符号では、拡散符号が、セル内の装置に固有のブロック拡散符号であり、前記グループが、離散フーリエ変換の拡散直交周波数分割多元接続シンボル（ＤＦＴ−Ｓ−ＯＦＤＭＡ）内の時間領域変調シンボルを含み、この時間領域変調シンボルが互いに巡回的にシフトされる。
・ブロック６１２において、高速フーリエ変換前に巡回シフトを行う。
・ブロック６１４において、高速フーリエ変換後に周波数領域で巡回シフトを行う。
・ブロック６１８の変調シンボルでは、変調シンボルのグループが、物理ダウンリンク共有チャネルの肯定応答、否定応答及び不連続送信の指示を含み、方法が、生成された直交周波数分割多元接続シンボルを物理アップリンク制御チャネルで送信するステップをさらに含む。
・ブロック６２０において、セル固有のシフトパターンが、セルインデックス、システムフレーム番号及びシステムスロット番号のうちの少なくとも１つに基づく。
・ブロック６２２において、ハンドオーバ後に新たなセルに接続した時点で、セル固有のシフトパターンを、この新たなセルに固有の新たなシフトパターンに自動的に置き換える。
【００５１】
図６に示す様々なブロック及びこれらについて詳述した上記の箇条書きは、方法ステップ、及び／又はコンピュータプログラムコードの動作によって生じる動作、及び／又は（単複の）関連機能を実施するように構成された複数の結合論理回路要素と見なすことができる。
【００５２】
一般に、様々な例示的な実施形態は、ハードウェア又は専用回路、ソフトウェア、ロジック、又はこれらのあらゆる組み合わせで実施することができる。例えば、ハードウェアの形で実現できる態様もあれば、コントローラ、マイクロプロセッサ、又はその他のコンピュータ装置が実行できるファームウェア又はソフトウェアの形で実現できる態様もあるが、本発明はこれらに限定されるものではない。本発明の例示的な実施形態の様々な態様は、ブロック図、フロー図、又は他の何らかの図的記述を使用して図示し説明することができるが、本明細書で説明したこれらのブロック、装置、システム、技術、又は方法は、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実現することができると十分に理解されたい。
【００５３】
従って、本発明の例示的な実施形態の少なくともいくつかの態様を、集積回路チップ及びモジュールなどの様々な構成要素内で実施することもでき、また本発明の例示的な実施形態を、集積回路として具体化された装置内で実現することもできると理解されたい。１又は複数の集積回路は、本発明の例示的な実施形態に従って動作するように構成できる１又は複数のデータプロセッサ、１又は複数のデジタルシグナルプロセッサ、ベースバンド回路及び無線周波数回路のうちの１又はそれ以上を具体化するための回路（及び場合によってはファームウェア）を含むことができる。
【００５４】
添付図面とともに上述の説明を読めば、当業者には、これらの教示の広範な態様から逸脱することなく、上述の説明に照らして本発明の上述の例示的な実施形態への様々な修正及び適応が明らかになるであろう。
【００５５】
上記では、ＥＵＴＲＡＮ（ＵＴＲＡＮ−ＬＴＥ）システムとの関連において例示的な実施形態を説明したが、本発明の例示的な実施形態は、この１つの特定の種類の無線通信システムのみとの使用に限定されるものではなく、本発明の例示的な実施形態を使用して、例えばＷＬＡＮ、ＵＴＲＡＮ、ＧＳＭなどの他の無線通信システムでも優位性を発揮できると理解されたい。
【００５６】
なお、「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、１又はそれ以上の電線、ケーブル及び／又はプリント電子接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、２つの要素が互いに「接続」又は「結合」されると考えることができる。
【００５７】
さらに、本発明の様々な非限定的な例示的な実施形態の特徴の一部を、その他の特徴を対応して使用することなく有利に使用することができる。従って、上述の説明は、本発明の原理、教示及び例示的な実施形態を例示したものにすぎず、これらを限定するものではないと考えられたい。
【符号の説明】
【００５８】
３０２  シンボル
３０４  ＦＦＴ（高速フーリエ変換）
３０６Ａ  乗算器
３０８Ａ  シフト
３１０Ａ  ＩＦＦＴ（逆高速フーリエ変換）
３１１  基準シンボル
３１２Ａ  データ
３１２Ｂ  データ
３１２Ｃ  データ
３１２Ｄ  データ
３１２Ｅ  データ
３１３  基準シンボル
３１４  ＰＵＣＣＨ（物理アップリンク制御チャネル）
【図１】
0005907356.tif 000002
【図２】
0005907356.tif 000003
【図３】
0005907356.tif 000004
【図４】
0005907356.tif 000005
【図５】
0005907356.tif 000006
【図６】
0005907356.tif 000007